(57)【要約】【課題】無線基地局装置が無線移動局装置に対してマルチメディア放送・同報サービスを提供する無線通信技術に関し、マルチメディア放送・同報サービス送信装置及び無線基地局装置の上り信号処理部の処理負荷を軽減させる【解決手段】ｅＮＢ（無線基地局）が、ＵＥ（無線移動局）から特定のＲＡＣＨプリアンブルコードを使ったＭＢＭＳリクエストシグナリングをＭｅｓｓａｇｅ１として受信すると（Ｓ３０１）、ｅＮＢは、すぐにそのＵＥに対してＭＢＭＳリクエストの完了ＩＤをＭｅｓｓａｇｅ２として返す（Ｓ３０２）。これと共に、ｅＮＢは、或るＭＢＭＳサービスチャネルに対してそのシグナリングが初めてのリクエストである場合に限り、ＭＢＭＳコントローラに対して、当該ＭＢＭＳサービスの開始を通知する（Ｓ３０３）。ＭＢＭＳコントローラは、ｅＮＢからの通知に基づいてＭＢＭＳサービスを開始する（Ｓ３０４）。【選択図】図３
2010045643.tif 000002
【特許請求の範囲】
【請求項１】
無線基地局装置がマルチメディア放送・同報サービス送信装置から送信されたマルチメディアデータを無線移動局装置に放送・同報するマルチメディア放送・同報通信制御方法であって、
前記無線移動局装置が、前記マルチメディア放送・同報サービスを要求する要求シグナリングを、前記無線移動局装置から前記無線基地局装置へ送信される所定のランダムアクセスチャネル信号のプリアンブルコードを用いて前記無線基地局装置へ送信する第１のステップと、
前記無線基地局装置が、ランダムアクセスチャネル信号のプリアンブルコードを受信した後、前記所定のランダムアクセスチャネル信号のプリアンブルコードを判別する第２のステップと、
前記無線基地局装置が、前記第２のステップによる判別の後、前記プリアンブルコードを送信した前記無線移動局装置に受信完了応答を送信する第３のステップと、
前記無線基地局装置が、少なくとも１つの前記マルチメディア放送・同報サービスに対する前記所定のランダムアクセスチャネル信号のプリアンブルコードを最初に受けたときに、該サービスの開始要求を前記マルチメディア放送・同報サービス送信装置に通知する第４のステップと、
を含むことを特徴とするマルチメディア放送・同報サービス通信制御方法。
【請求項２】
前記無線移動局装置が、前記マルチメディア放送・同報サービスの開始後、前記所定のランダムアクセスチャネル信号のプリアンブルコードを定期的に前記無線基地局装置に送信する第５のステップと、
前記無線基地局装置が、提供中の前記マルチメディア放送・同報サービスに対応する前記所定のランダムアクセスチャネル信号のプリアンブルコードを受信しなくなったときに、該サービスの終了要求を前記マルチメディア放送・同報サービス送信装置に通知する第６のステップと、
を更に含むことを特徴とする請求項１に記載のマルチメディア放送・同報サービス通信制御方法。
【請求項３】
前記無線基地局装置が、前記第２のステップにより判別した前記所定のランダムアクセスチャネル信号のプリアンブルコードの受信電力を判別する第７のステップと、
前記無線基地局装置が、前記第７のステップが判別した受信電力に基づいて、前記マルチメディア放送・同報サービスを要求している前記無線移動局装置の数を推定する第８のステップと、
前記無線基地局装置が、前記第８のステップが推定した前記無線移動局装置の数を前記マルチメディア放送・同報サービス送信装置に通知する第９のステップと、
を更に含むことを特徴とする請求項１又は２の何れか１項に記載のマルチメディア放送・同報サービス通信制御方法。
【請求項４】
前記第１のステップは、前記無線移動局装置が、前記マルチメディア放送・同報サービスを要求する要求シグナリングを、該サービスの種別に応じたシグネイチャ系列のランダムアクセスチャネル信号のプリアンブルコードを使って前記無線基地局装置へ送信するステップであり、
前記第４のステップは、前記無線基地局装置が、前記要求シグナリングのプリアンブルコードを最初に受けたときに、該プリアンブルコードのシグネイチャ系列に対応する種別のサービスの開始要求を前記マルチメディア放送・同報サービス送信装置に通知するステップである、
ことを特徴とする請求項１乃至３の何れか１項に記載のマルチメディア放送・同報サービス通信制御方法。
【請求項５】
マルチメディア放送・同報サービス送信装置から送信されたマルチメディアデータを無線移動局装置に放送・同報する無線基地局装置であって、
ランダムアクセスチャネル信号のプリアンブルコードを受信した後、前記無線移動局装置から送信される、前記マルチメディア放送・同報サービスの要求シグナリングである所定のランダムアクセスチャネル信号のプリアンブルコードを判別するランダムアクセスチャネル信号受信部と、
該ランダムアクセスチャネル信号受信部による判別の後、前記プリアンブルコードを送信した前記無線移動局装置に受信完了応答を送信するランダムアクセスチャネル信号送信部と、
少なくとも１つの前記マルチメディア放送・同報サービスに対する前記所定のランダムアクセスチャネル信号のプリアンブルコードを最初に受けたときに、該サービスの開始要求を前記マルチメディア放送・同報サービス送信装置に通知する通知判定部と、
を含むことを特徴とする無線基地局装置。
【請求項６】
提供中の前記マルチメディア放送・同報サービスに対応して、前記無線移動局装置から定期的に送信される前記所定のランダムアクセスチャネル信号のプリアンブルコードを受信しなくなったときに、該サービスの終了要求を前記マルチメディア放送・同報サービス送信装置に通知するサービス終了要求通知部を更に含む、
ことを特徴とする請求項５に記載の無線基地局装置。
【請求項７】
前記ランダムアクセスチャネル信号受信処理部により判別した前記所定のランダムアクセスチャネル信号のプリアンブルコードの受信電力を判別する受信電力判別部と、
該受信電力判別部が判別した受信電力に基づいて、前記マルチメディア放送・同報サービスを要求している前記無線移動局装置の数を推定する無線移動局装置数推定部と、
該無線移動局装置数推定部が推定した前記無線移動局装置の数を前記マルチメディア放送・同報サービス送信装置に無線移動局装置数通知部と、
を更に含むことを特徴とする請求項５又は６の何れか１項に記載の無線基地局装置。
【請求項８】
前記通知判定部は、前記要求シグナリングのプリアンブルコードを最初に受けたときに、該プリアンブルコードのシグネイチャ系列に対応する種別のサービスの開始要求を前記マルチメディア放送・同報サービス送信装置に通知する、
ことを特徴とする請求項５乃至７の何れか１項に記載の無線基地局装置。
【請求項９】
無線基地局装置から放送・同報されるマルチメディアデータを受信する無線移動局装置であって、
前記マルチメディア放送・同報サービスを要求する要求シグナリングを、前記無線基地局装置へ送信する所定のランダムアクセスチャネル信号のプリアンブルコードを用いて送信するランダムアクセスチャネル信号送信部と、
該ランダムアクセスチャネル信号送信部が送信した前記所定のランダムアクセスチャネル信号のプリアンブルコードに対応して前記無線基地局装置からの受信完了応答を受信し、その受信後に前記マルチメディア放送・同報サービスの受信を開始するランダムアクセスチャネル信号受信部と、
を含むことを特徴とする無線移動局装置。
【請求項１０】
前記ランダムアクセスチャネル信号送信部は、前記マルチメディア放送・同報サービスを要求する要求シグナリングを、該サービスの種別に応じたシグネイチャ系列のランダムアクセスチャネル信号のプリアンブルコードを使って前記無線基地局装置へ送信する、
ことを特徴とする請求項９に記載の無線移動局装置。
【発明の詳細な説明】
【技術分野】
【０００１】
無線基地局装置が無線移動局装置に対してマルチメディア放送・同報サービスを提供する無線通信技術に関する。
【背景技術】
【０００２】
ＭＢＭＳ（Ｍｕｌｔｉｍｅｄｉａ  Ｂｒｏａｄｃａｓｔ  ａｎｄ  Ｍｕｌｔｉｃａｓｔ
Ｓｅｒｖｉｃｅ）は、Ｗ−ＣＤＭＡを利用した第３世代（３Ｇ）移動体通信システム等の基地局無線装置が無線移動局装置に対して、動画や音楽等のマルチメディアコンテンツの放送・同報サービスを効率よく行うための技術である。現時点において、ＭＢＭＳを利用したサービスは実用化に向けて開発が進んでいる。
【０００３】
マルチキャスト通信とは、同時刻に複数の無線移動局装置に対して一度の送信で通信を完了させる技術であり、この技術により、同時刻に同一コンテンツを見たい人が存在するサービスの実現において、電波の効率的な利用が可能になる。 
【０００４】
ＭＢＭＳは、既存のＷ−ＣＤＭＡ網での利用を前提としているため、放送データ送信のための追加周波数帯は不要で、既存の基地局設備への機能追加のみで対応可能なため、実現が容易である。
【０００５】
ＭＢＭＳを実現するために従来提案されている無線基地局装置(以下、「ｅＮＢ」と呼ぶ)の構成及びｅＮＢ内に位置する無線信号処理部、インタフェース部、呼制御部の構成と、ＭＢＭＳコントローラ(サーバ)の構成を、図１２に示す。
【０００６】
図１２において、ｅＮＢ１２０１は、ＭＢＭＳコントローラ１２０３と無線回線との間に位置する。無線回線には無線移動局装置（以下、「ＵＥ」（Ｕｓｅｒ  Ｅｑｕｉｐｍｅｎｔ）と呼ぶ）１２０２が接続される。ｅＮＢ１２０１は、ＭＢＭＳコントローラ１２０３、ＵＥ１２０２間のＭＢＭＳデータや呼情報の中継を行う。
【０００７】
ｅＮＢ１２０１内の無線処理部１２０６は、送受信信号の処理を行い、ＭＢＭＳコントローラ１２０３との間にあるインタフェース（ＩＦ）部１０４を通して、ＭＢＭＳコントローラ１２０３とデータの送受信を行う。
【０００８】
無線処理部１２０６において、下り信号処理部１２０７は、ＭＢＭＳサービス用のＣＨ処理や通常の下り処理を行う制御チャネル（ＣＨ）／データチャネル（ＣＨ）処理部１２０９を備えている。
【０００９】
また、無線処理部１２０６において、上り信号処理部１２０８は、上り制御チャネルと上り通信データの処理を行う制御ＣＨ／データＣＨ処理部１２１０と、ＲＡＣＨ（ランダムアクセスチャネル）を処理するＲＡＣＨ処理部１２１１を備えている。
【００１０】
ＭＢＭＳでは、データは、ＩＦ部１２０４を通り、下り信号処理部１２０７で、多数のＵＥ１２０２に対して、同じ内容のデータが同時送信される。
ＭＢＭＳデータがＭＢＭＳコントローラ１２０３からＵＥ１２０２に送信（配信）されるまでのシーケンスを、図１３に示す。
【００１１】
ＭＢＭＳコントローラ１２０３からの送信が停止されている送信停止状態において、ＵＥ１２０２が制御ＣＨや個別ＣＨを使って、ＭＢＭＳリクエストシグナリングをＭＢＭＳ
コントローラ１２０３に通知する（Ｓ１３０１）。
【００１２】
リクエストシグナリングを受信したＭＢＭＳコントローラ１２０３は、ＭＢＭＳ送信開始状態に移行し（Ｓ１３０２）、ＭＢＭＳデータサーバからリクエストされているコンテンツを読出し、それをＵＥ１２０２に向けて、ＭＢＭＳチャネル（ＭＢＭＳ  ＣＨ）を使って、ＭＢＭＳサービスとして送信する（Ｓ１３０３）。
【００１３】
ＵＥ１２０２は、送信されてきたＭＢＭＳサービスを受信する（Ｓ１３０４）。
【特許文献１】特表２００７−５０４７２１号公報
【特許文献２】特開２００４−２０８１５３号公報
【特許文献３】特表２００７−５０５９１４号公報
【特許文献４】特表２００７−５３６８７１号公報
【発明の開示】
【発明が解決しようとする課題】
【００１４】
上記ＭＢＭＳの従来例において、複数のＵＥ１２０２がＭＢＭＳ開始時にＭＢＭＳコントローラ１２０３に対してリクエストシグナリングを送信するが、ＵＥ１２０２毎にリクエストシグナリングが送出される。このため、ＭＢＭＳコントローラ１２０３でのリクエスト処理に時間を要し、ＭＢＭＳの提供までに時間がかかるという問題点を有していた。
【００１５】
図１４に＃１〜＃３の３台のＵＥ１２０２がリクエストを送信した場合のシーケンス、図１５にリクエストが流れる経路を、それぞれ示す。
＃１〜＃３の３台のＵＥ１２０２がリクエストを制御ＣＨや個別ＣＨ経由でＭＢＭＳコントローラ１２０３に送信する。そのリクエストは、図１５に示されるように、ｅＮＢ１２０１の上り信号処理部１２０８内の制御ＣＨ／データＣＨ処理部１２１０で受信された後、ＩＦ部１２０４を介してＭＢＭＳコントローラ１２０３に転送される。ＭＢＭＳコントローラ１２０３側では、図１４に示されるように、ＭＢＭＳリクエストの受付処理をＵＥ１２０２毎に行う。そのリクエスト処理時間１４０１が長くかかるため、ＭＢＭＳサービスを提供するまでに時間がかかる。
【００１６】
また、ＵＥ１２０２が増加した場合には、ＵＥ１２０２の数に応じたＭＢＭＳコントローラ１２０３の処理能力が必要となるという問題点も有していた。
また、複数のＵＥ１２０２がＭＢＭＳ開始時にＭＢＭＳコントローラ１２０３に対してリクエストシグナリングを送信する。ｅＮＢ１２０１の上り信号処理部１２０８内の制御ＣＨ／データＣＨ処理部１２１０では、通常の制御ＣＨや個別ＣＨの通信を行っているＵＥ１２０２の中にＭＢＭＳのシグナリングを送信するＵＥ１２０２を割り込ませる。このため、通常通信を行うＵＥ１２０２の数の低下やＵＥ１２０２当りの通信速度の低下が発生するという問題点も有していた。
【００１７】
更に、制御ＣＨや個別ＣＨに埋め込まれたＭＢＭＳシグナリング情報を取り出すので、制御ＣＨ／データＣＨ処理部１２１０の受信処理能力も向上させる必要があるという問題点を有していた。
【課題を解決するための手段】
【００１８】
課題は、マルチメディア放送・同報サービス送信装置及び無線基地局装置の上り信号処理部の処理負荷を軽減させることにある。
本態様は、無線基地局装置がマルチメディア放送・同報サービス送信装置から送信されたマルチメディアデータを無線移動局装置に放送・同報するマルチメディア放送・同報通信制御方法又は装置を前提とする。
【００１９】
第１のステップ（Ｓ８０２）にて、無線移動局装置が、マルチメディア放送・同報サービスを要求する要求シグナリングを、無線移動局装置から無線基地局装置へ送信される所定のランダムアクセスチャネル信号のプリアンブルコードを用いて無線基地局装置へ送信する。
【００２０】
第２のステップ（Ｓ７０１、Ｓ７０２）にて、無線基地局装置が、ランダムアクセスチャネル信号のプリアンブルコードを受信した後、所定のランダムアクセスチャネル信号のプリアンブルコードを判別する。
【００２１】
第３のステップ（Ｓ７０４）にて、無線基地局装置が、第２のステップによる判別の後、プリアンブルコードを送信した無線移動局装置に受信完了応答を送信する。
第４のステップ（Ｓ７０６）にて、無線基地局装置が、少なくとも１つのマルチメディア放送・同報サービスに対する所定のランダムアクセスチャネル信号のプリアンブルコードを最初に受けたときに、そのサービスの開始要求をマルチメディア放送・同報サービス送信装置に通知する。
【００２２】
上述の態様において、以下の第５及び第６のステップを更に含むように構成することができる。
即ち、第５のステップ（Ｓ８０７）、無線移動局装置が、マルチメディア放送・同報サービスの開始後、所定のランダムアクセスチャネル信号のプリアンブルコードを定期的に無線基地局装置に送信する。
【００２３】
第６のステップ（Ｓ７１１）にて、無線基地局装置が、提供中のマルチメディア放送・同報サービスに対応する所定のランダムアクセスチャネル信号のプリアンブルコードを受信しなくなったときに、そのサービスの終了要求をマルチメディア放送・同報サービス送信装置に通知する。
【００２４】
ここまでの態様において、以下の第７〜第９のステップを更に含むように構成することができる。
即ち、第７のステップ（Ｓ９０１、Ｓ９０４）にて、無線基地局装置が、第２のステップにより判別した所定のランダムアクセスチャネル信号のプリアンブルコードの受信電力を判別する。
【００２５】
第８のステップ（Ｓ９０２、Ｓ９０５）にて、無線基地局装置が、第７のステップが判別した受信電力に基づいて、マルチメディア放送・同報サービスを要求している無線移動局装置の数を推定する。
【００２６】
第９のステップ（Ｓ９０３、Ｓ９０５）にて、無線基地局装置が、第８のステップが推定した無線移動局装置の数をマルチメディア放送・同報サービス送信装置に通知する。
ここまでの態様において、前述の第１、第４のステップを以下のように構成することができる。
【００２７】
即ち、第１のステップは、無線移動局装置が、マルチメディア放送・同報サービスを要求する要求シグナリングを、そのサービスの種別に応じたシグネイチャ系列のランダムアクセスチャネル信号のプリアンブルコードを使って無線基地局装置へ送信するステップである。
【００２８】
第４のステップは、無線基地局装置が、要求シグナリングのプリアンブルコードを最初に受けたときに、そのプリアンブルコードのシグネイチャ系列に対応する種別のサービスの開始要求をマルチメディア放送・同報サービス送信装置に通知するステップである。
【発明の効果】
【００２９】
無線移動局装置から送信されるＭＢＭＳリクエストシグナリングを制御チャネル、個別チャネルを用いずに通知できるため、無線基地局装置や無線移動局装置のマルチメディア放送・同報サービスのシグナリング処理負荷を軽減することが可能となる。
【００３０】
また、マルチメディア放送・同報サービス送信装置でのシグナリング終端が無線移動局装置毎ではなくなるため、マルチメディア放送・同報サービスの提供時間を高速化することが可能となる。
【００３１】
更に、制御チャネル、個別チャネルが使用されないため、通常通信をしている無線移動局装置への影響を無くすことが可能となる。
【発明を実施するための最良の形態】
【００３２】
以下、図面を参照しながら、最良の実施形態を詳細に説明する。
まず、実施形態の動作概要について説明する。
通常の通信においては、通信開始時には、無線移動局装置（ＵＥ）と無線基地局装置（ｅＮＢ）間では、ランダムアクセスチャネル（以後、「ＲＡＣＨ：Ｒａｎｄｏｍ  Ａｃｃｅｓｓ  Ｃｈａｎｎｅｌ」という）による通信が行われる。このＲＡＣＨ通信では、ＵＥ毎に後述する図２に示されるようなＲＡＣＨシーケンスが実行され、その後で制御ＣＨや個別ＣＨの通信が実行される。
【００３３】
ＲＡＣＨ通信が使用される主な場面は、以下の通りである。
・アイドル状態から接続状態に移行する場合
・ハンドオーバー（無線基地局装置の切替え）が行われた場合
・アップリンク再同期が必要な場合
ＵＥは、ＲＡＣＨ通信の開始時には、最初にプリアンブルと呼ばれる信号を送信する。そして、このプリアンブルは、複数の端末が同時に送信しても衝突しないように、複数種類のシグネイチャと呼ばれる系列により符号化される。
【００３４】
図１は、ＲＡＣＨプリアンブルの動作概念を示す図である。シグネイチャ系列により作られた＃１、＃２等の複数のプリアンブル１０１は、それぞれのＵＥ（無線移動局装置）のアンテナから送信され、空間多重されてｅＮＢ（無線基地局装置）のアンテナに受信される。１つのプリアンブル送信時間は、例えば1ミリ秒である。
ｅＮＢ側では、端末からのＲＡＣＨ信号からシグネイチャ系列によりＵＥを区別し（１０２）、ＵＥ毎のＲＡＣＨシーケンス処理が実行される（１０３）。
【００３５】
図２は、ＲＡＣＨシーケンス処理の動作シーケンスを示す図である。
図２において、Ｍｅｓｓａｇｅ１がプリアンブルである。
そこで、本実施形態では、ＲＡＣＨ通信において、ＵＥがｅＮＢに対して送信するＲＡＣＨプリアンブルコードがＭＢＭＳ用に固定され、ｅＮＢは、ある固定のＲＡＣＨプリアンブルコードを受信した場合はＭＢＭＳリクエストシグナリングが発生したと認識する。
【００３６】
ｅＮＢは、上記特定のＲＡＣＨプリアンブルコードを受信した場合は、通常のＲＡＣＨ処理はしない。
上述に基づく、特定のＲＡＣＨプリアンブルコードを使ったＭＢＭＳリクエストシグナリング処理の動作シーケンスを図３に、リクエストが流れる経路を図４に、それぞれ示す。図４において、インタフェース（ＩＦ）部４０４、呼制御部４０５、下り信号処理部４０７、及び制御ＣＨ／データＣＨ処理部４０９の各部は、図１２の従来技術における１２０４、１２０５、１２０７、及び１２０９の各部とそれぞれ同じ処理を行う。
【００３７】
図２で示した通常通信のＲＡＣＨシーケンスでは、通信開始時にＲＡＣＨシーケンスが実行され、その後に制御ＣＨ、個別ＣＨの通信が実行される。従って、従来のように、ＭＢＭＳのリクエストシグナリングが制御ＣＨや個別ＣＨで送信される場合は、その処理はＲＡＣＨシーケンス後に実行されることになる。そして、従来は、図１４及び図１５で説明したように、ＵＥからのＭＢＭＳのリクエストシグナリングは、ｅＮＢを経由してＭＢＭＳコントローラで終端された。
【００３８】
これに対して、実施形態では、ｅＮＢが、ＵＥから特定のＲＡＣＨプリアンブルコードを使ったＭＢＭＳリクエストシグナリングをＭｅｓｓａｇｅ１として受信すると（図３のＳ３０１）、ｅＮＢは、すぐにそのＵＥに対してＭＢＭＳリクエストの完了ＩＤをＭｅｓｓａｇｅ２として返す（図３のＳ３０２）。
【００３９】
これと共に、ｅＮＢは、或るＭＢＭＳサービスチャネルに対してそのシグナリングが初めてのリクエストである場合に限り、ＭＢＭＳコントローラに対して、当該ＭＢＭＳサービスの開始を通知する（図３のＳ３０３）。
ＭＢＭＳコントローラは、ｅＮＢからの通知に基づいてＭＢＭＳサービスを開始する（図３のＳ３０４）。
【００４０】
以上の動作により、図４に示されるように、ＵＥ４０２からのＭＢＭＳリクエストシグナリングは、ｅＮＢ４０１内の無線信号処理部４０６の上り信号処理部４０８において、制御ＣＨ／データＣＨ処理部４１０ではなくＲＡＣＨ処理部４１１にて特定のＲＡＣＨプリアンブルコードとして受信される。また、ＵＥ４０２からのＭＢＭＳリクエストシグナリングは、ＭＢＭＳコントローラ４０３ではなくＲＡＣＨ処理部４１１で終端される。ここでの終端処理は、図３に示されるように、特定のＲＡＣＨプリアンブルコードを受信したら完了ＩＤを返すという単純な処理である。これにより、ＭＢＭＳコントローラ４０３及び制御ＣＨ／データＣＨ処理部４１０の処理負荷が大幅に軽減される。
【００４１】
また、ＵＥ４０３も、ＭＢＭＳリクエストシグナリングを、特定のＲＡＣＨプリアンブルコードを送信するという単純な処理にて行うことができるため、そこでの処理負荷が軽減される。
【００４２】
更に、ＭＢＭＳコントローラ４０４は、ＭＢＭＳリクエストシグナリングを発したＵＥ４０３毎にではなくｅＮＢから通知される唯一つのシグナリングのみに対してＭＢＭＳのサービスを開始すればよいため、処理時間も短縮される。
【００４３】
第１の実施形態
上記に基づく第１の実施形態について説明する。
図５は、第１の実施形態におけるｅＮＢ（無線基地局装置）の構成図、図６は、第１の実施形態におけるＵＥ（無線移動局装置）の構成図である。なお、図５及び図６の構成は、後述する第２〜第４の実施形態と共通である。図５及び図６において、図４の構成と同じ番号が付された部分は図４の場合と同じ機能を有する。また、図７は、第１の実施形態におけるｅＮＢの制御動作フローチャート、図８は、第１の実施形態におけるＵＥの制御動作フローチャートである。
【００４４】
図５のｅＮＢ４０１において、ＲＡＣＨ処理部４１１は、受信されたＭｅｓｓａｇｅ１を処理するＭｅｓｓａｇｅ１受信処理部／Ｍｅｓｓａｇｅ２送信処理部５０１と、ＭＢＭＳコントローラ４０３への通知判定を行う通知判定部５０３と、通知した事実を格納しておくメモリ５０４、及びＲＡＣＨプリアンブルコードを記憶するＲＡＣＨプリアンブルコ
ードテーブル５０２を有する。
【００４５】
ｅＮＢ４０１の下り信号処理部４０７は、図４に示される一般的な制御ＣＨ／データＣＨ処理部４０９のほか、ＭＢＭＳコントローラ４０３から送られてきたＭＢＭＳデータをＵＥに向けて送信するＭＢＭＳサービス処理部５０５を有する。
【００４６】
ＲＡＣＨ処理部４１１において、Ｍｅｓｓａｇｅ１が受信されると（図７のステップＳ７０１）、Ｍｅｓｓａｇｅ１受信処理部／Ｍｅｓｓａｇｅ２送信処理部５０１がＲＡＣＨプリアンブルコードがＭＢＭＳ用の特定パターンであるか否かを、ＲＡＣＨプリアンブルコードテーブル５０２を参照して判定する（図７のステップＳ７０２）。
【００４７】
受信されたＲＡＣＨプリアンブルコードがＭＢＭＳ用ではない場合は、通常のＲＡＣＨ処理が実行される（図７のステップＳ７０３）（図２参照）。
受信されたＲＡＣＨプリアンブルコードがＭＢＭＳ用である場合は、Ｍｅｓｓａｇｅ１受信処理部／Ｍｅｓｓａｇｅ２送信処理部５０１が、ＲＡＣＨプリアンブルコードを送信してきたＵＥ４０２に、ＭＢＭＳの受付完了を示すＭｅｓｓａｇｅ２を送信する（図７のステップＳ７０４）（図３のＳ３０２参照）。
【００４８】
その後、通知判定部５０３にＭＢＭＳリクエストシグナリングが来たことが通知される。通知判定部５０３は、ＭＢＭＳリクエストが既にＭＢＭＳコントローラ４０３に通知されているかどうかをメモリ５０４を参照して判定する（図７のステップＳ７０５）。
【００４９】
通知判定部５０３は、未通知の場合には、ＭＢＭＳコントローラ４０３に対してＭＢＭＳリクエストがあったことを通知する（図７のステップＳ７０６）。
図７のステップ７０７〜Ｓ７１１については後述する。
【００５０】
次に、図６のＵＥ４０２において、無線処理部６０１の上り信号処理部６０２内のＲＡＣＨ処理部６０４では、最初にＭＢＭＳの開始要求が発生した場合には、まず、Ｍｅｓｓａｇｅ１送信処理部／Ｍｅｓｓａｇｅ２受信処理部６０８が、ＲＡＣＨプリアンブルコードテーブル６０９を参照して、ＭＢＭＳ用のＲＡＣＨプリアンブルコードでＭｅｓｓａｇｅ１を送信する（図８のステップＳ８０２）。ＲＡＣＨプリアンブルコードテーブル６０９の内容は、図５のｅＮＢ４０１におけるＲＡＣＨプリアンブルコードテーブル５０２の内容と同じである。
【００５１】
その後、ＲＡＣＨ処理部６０４のＭｅｓｓａｇｅ１送信処理部／Ｍｅｓｓａｇｅ２受信処理部６０８が、Ｍｅｓｓａｇｅ２の受信を試みる（図８のステップＳ８０３）。
Ｍｅｓｓａｇｅ２の受信が完了しなければ、再度Ｍｅｓｓａｇｅ１が送信される（図８のステップＳ８０４−＞Ｓ８０２）。
【００５２】
Ｍｅｓｓａｇｅ２の受信が完了したら、送信判定部６０５に制御を移す（図８のステップＳ８０４−＞Ｓ８０１）。これ以降、下り信号処理部６０３内のＭＢＭＳサービス受信処理部６１０が、ＭＢＭＳサービスを受信する。
【００５３】
送信判定部６０５は、送信開始後は、定期的にＭＢＭＳ用ＲＡＣＨプリアンブルコードを送信させるために、タイマ６０７を参照して、ＭＢＭＳの送信タイミングになったか否かを判定する（図８のステップＳ８０１−＞Ｓ８０５）。
【００５４】
送信タイミングでなければ、送信判定部６０５は、上記判定を繰り返す（図８のステップＳ８０５−＞Ｓ８０１−＞Ｓ８０５）。
送信タイミングになったら、送信判定部６０５は、ＭＢＭＳの終了要求が利用者によっ
て指示されていないか否かを判定する（図８のステップＳ８０６）。終了要求が指示されていなければ、Ｍｅｓｓａｇｅ１送信処理部／Ｍｅｓｓａｇｅ２受信処理部６０８が、ＲＡＣＨプリアンブルコードテーブル６０９を参照して、ＭＢＭＳ用のＲＡＣＨプリアンブルコードでＭｅｓｓａｇｅ１を再び送信する（図８のステップＳ８０７）。
【００５５】
上記ＭＢＭＳ用ＲＡＣＨプリアンブルコードの定期的な送信に対して、図５のＭｅｓｓａｇｅ１受信処理部／Ｍｅｓｓａｇｅ２送信処理部５０１は、タイマ処理による監視時間毎に（図７のステップＳ７０７−＞Ｓ７０８）、何れかのＵＥ４０２から、ＭＢＭＳ用のＲＡＣＨプリアンブルコードが１つでも到来しているか否かを判定する（図７のステップＳ７０８−＞Ｓ７０９）。
【００５６】
ＭＢＭＳ用のＲＡＣＨプリアンブルコードが１つでも到来していれば、Ｍｅｓｓａｇｅ１受信処理部／Ｍｅｓｓａｇｅ２送信処理部５０１は、更に監視を続ける（図７のステップＳ７０９―＞Ｓ７０７）。
【００５７】
ＭＢＭＳ用のＲＡＣＨプリアンブルコードが１つも到来しなくなったら、ＭＢＭＳサービスの利用者がいなくなったため、通知判定部５０３が、メモリ５０４を参照することにより、ＭＢＭＳサービスを開始済みであるか否かを判定する（図７のステップＳ７１０）。開始済みである場合には、ＭＢＭＳコントローラ４０３に、ＭＢＭＳサービスの終了を通知する（図７のステップＳ７１０−＞Ｓ７１１）。
【００５８】
第２の実施形態
第２の実施形態について説明する。
第２の実施形態では、ＲＡＣＨプリアンブルコードの受信電力から現在ＭＢＭＳサービスを使っているＵＥ数が推定され、それがＭＢＭＳコントローラに通知される。
第２の実施形態におけるｅＮＢ及びＵＥの構成は、第１の実施形態の場合の図５及び図６と同じである。
【００５９】
図９は、第２の実施形態におけるｅＮＢの制御動作フローチャートである。図９において、第１の実施形態における図７の動作フローチャートと同じステップ番号が付されたステップは、図７の場合と同じ動作を実行する。
【００６０】
図９の動作フローチャートが図７の動作フローチャートと異なる点は、Ｍｅｓｓａｇｅ１受信処理部／Ｍｅｓｓａｇｅ２送信処理部５０１が、ＭＢＭＳ用のＲＡＣＨプリアンブルコードを受信する毎に（ステップＳ７０２及びＳ７０９の後）、ＲＡＣＨプリアンブルコードの受信電力を判定し（ステップＳ９０１、Ｓ９０４）、それに基づいて現在ＭＢＭＳを受信しているＵＥ４０２の数を推定し（ステップＳ９０２、Ｓ９０５）、その推定ＵＥ数をＭＢＭＳの開始時及び監視時間毎にＭＢＭＳコントローラ４０３に通知する（ステップＳ９０３、Ｓ９０５）点である。
これにより、ＭＢＭＳコントローラ４０３は、推定ＵＥ数に基づく適切な制御を行うことが可能となる。
【００６１】
第３の実施形態
第３の実施形態について説明する。
第３の実施形態では、ＵＥが、ＭＢＭＳのサービス種別に応じたシグネイチャパターンのＲＡＣＨプリアンブルコードを送信する。ｅＮＢがそのパターンからサービス種別を判別し、それに応じたサービス開始要求をＭＢＭＳコントローラ４０３に通知する。
第３の実施形態におけるｅＮＢ及びＵＥの構成は、第１の実施形態の場合の図５及び図
６と同じである。
【００６２】
図１０は、第３の実施形態におけるｅＮＢの制御動作フローチャート、図１１は、同じく第３の実施形態におけるＵＥの制御動作フローチャートである。図１０及び図１１において、第１の実施形態における図７及び図８の動作フローチャートと同じステップ番号が付されたステップは、図７及び図８の場合と同じ動作を実行する。
【００６３】
第３の実施形態では、図６のＵＥ４０２において、Ｍｅｓｓａｇｅ１送信処理部／Ｍｅｓｓａｇｅ２受信処理部６０８が、ＲＡＣＨプリアンブルコードテーブル６０９を参照して、ＭＢＭＳ用のサービス種別に応じたＲＡＣＨプリアンブルコードでＭｅｓｓａｇｅ１を送信する（図１１のステップＳ８０１−＞Ｓ１１０１）。また、定期的に送信されるＲＡＣＨプリアンブルコードも、ＭＢＭＳ用のサービス種別に応じたものである（図１１のステップＳ１１０２）。
【００６４】
これに対して、図５のｅＮＢ４０１において、Ｍｅｓｓａｇｅ１受信処理部／Ｍｅｓｓａｇｅ２送信処理部５０１が、ＭＢＭＳ用のＲＡＣＨプリアンブルコードを受信した場合に、ＲＡＣＨプリアンブルコードテーブル５０２（図５）を参照することにより、ＭＢＭＳのサービス種別を識別する（図１０のステップＳ１００１）。そのサービス種別をメモリ５０４（図５）に格納する（図１０のステップＳ１００２）。通知判定部５０３がＭＢＭＳコントローラ４０３に開始要求を通知するときに、メモリ５０４に格納されているサービス種別を併せて通知する（図１０のステップＳ１００３）。
これにより、ＭＢＭＳコントローラ４０３は、必要なＭＢＭＳのサービスを送信することができる。
【００６５】
以上の第１〜第３の実施形態に関して、更に以下の付記を開示する。
（付記１）
無線基地局装置がマルチメディア放送・同報サービス送信装置から送信されたマルチメディアデータを無線移動局装置に放送・同報するマルチメディア放送・同報通信制御方法であって、
前記無線移動局装置が、前記マルチメディア放送・同報サービスを要求する要求シグナリングを、前記無線移動局装置から前記無線基地局装置へ送信される所定のランダムアクセスチャネル信号のプリアンブルコードを用いて前記無線基地局装置へ送信する第１のステップと、
前記無線基地局装置が、ランダムアクセスチャネル信号のプリアンブルコードを受信した後、前記所定のランダムアクセスチャネル信号のプリアンブルコードを判別する第２のステップと、
前記無線基地局装置が、前記第２のステップによる判別の後、前記プリアンブルコードを送信した前記無線移動局装置に受信完了応答を送信する第３のステップと、
前記無線基地局装置が、少なくとも１つの前記マルチメディア放送・同報サービスに対する前記所定のランダムアクセスチャネル信号のプリアンブルコードを最初に受けたときに、該サービスの開始要求を前記マルチメディア放送・同報サービス送信装置に通知する第４のステップと、
を含むことを特徴とするマルチメディア放送・同報サービス通信制御方法。
（付記２）
前記無線移動局装置が、前記マルチメディア放送・同報サービスの開始後、前記所定のランダムアクセスチャネル信号のプリアンブルコードを定期的に前記無線基地局装置に送信する第５のステップと、
前記無線基地局装置が、提供中の前記マルチメディア放送・同報サービスに対応する前記所定のランダムアクセスチャネル信号のプリアンブルコードを受信しなくなったときに、該サービスの終了要求を前記マルチメディア放送・同報サービス送信装置に通知する第６のステップと、
を更に含むことを特徴とする付記１に記載のマルチメディア放送・同報サービス通信制御方法。
（付記３）
前記無線基地局装置が、前記第２のステップにより判別した前記所定のランダムアクセスチャネル信号のプリアンブルコードの受信電力を判別する第７のステップと、
前記無線基地局装置が、前記第７のステップが判別した受信電力に基づいて、前記マルチメディア放送・同報サービスを要求している前記無線移動局装置の数を推定する第８のステップと、
前記無線基地局装置が、前記第８のステップが推定した前記無線移動局装置の数を前記マルチメディア放送・同報サービス送信装置に通知する第９のステップと、
を更に含むことを特徴とする付記１又は２の何れか１項に記載のマルチメディア放送・同報サービス通信制御方法。
（付記４）
前記第１のステップは、前記無線移動局装置が、前記マルチメディア放送・同報サービスを要求する要求シグナリングを、該サービスの種別に応じたシグネイチャ系列のランダムアクセスチャネル信号のプリアンブルコードを使って前記無線基地局装置へ送信するステップであり、
前記第４のステップは、前記無線基地局装置が、前記要求シグナリングのプリアンブルコードを最初に受けたときに、該プリアンブルコードのシグネイチャ系列に対応する種別のサービスの開始要求を前記マルチメディア放送・同報サービス送信装置に通知するステップである、
ことを特徴とする付記１乃至３の何れか１項に記載のマルチメディア放送・同報サービス通信制御方法。
（付記５）
マルチメディア放送・同報サービス送信装置から送信されたマルチメディアデータを無線移動局装置に放送・同報する無線基地局装置であって、
ランダムアクセスチャネル信号のプリアンブルコードを受信した後、前記無線移動局装置から送信される、前記マルチメディア放送・同報サービスの要求シグナリングである所定のランダムアクセスチャネル信号のプリアンブルコードを判別するランダムアクセスチャネル信号受信部と、
該ランダムアクセスチャネル信号受信部による判別の後、前記プリアンブルコードを送信した前記無線移動局装置に受信完了応答を送信するランダムアクセスチャネル信号送信部と、
少なくとも１つの前記マルチメディア放送・同報サービスに対する前記所定のランダムアクセスチャネル信号のプリアンブルコードを最初に受けたときに、該サービスの開始要求を前記マルチメディア放送・同報サービス送信装置に通知する通知判定部と、
を含むことを特徴とする無線基地局装置。
（付記６）
提供中の前記マルチメディア放送・同報サービスに対応して、前記無線移動局装置から定期的に送信される前記所定のランダムアクセスチャネル信号のプリアンブルコードを受信しなくなったときに、該サービスの終了要求を前記マルチメディア放送・同報サービス送信装置に通知するサービス終了要求通知部を更に含む、
ことを特徴とする付記５に記載の無線基地局装置。
（付記７）
前記ランダムアクセスチャネル信号受信処理部により判別した前記所定のランダムアクセスチャネル信号のプリアンブルコードの受信電力を判別する受信電力判別部と、
該受信電力判別部が判別した受信電力に基づいて、前記マルチメディア放送・同報サービスを要求している前記無線移動局装置の数を推定する無線移動局装置数推定部と、
該無線移動局装置数推定部が推定した前記無線移動局装置の数を前記マルチメディア放送・同報サービス送信装置に無線移動局装置数通知部と、
を更に含むことを特徴とする付記５又は６の何れか１項に記載の無線基地局装置。
（付記８）
前記通知判定部は、前記要求シグナリングのプリアンブルコードを最初に受けたときに、該プリアンブルコードのシグネイチャ系列に対応する種別のサービスの開始要求を前記マルチメディア放送・同報サービス送信装置に通知する、
ことを特徴とする付記５乃至７の何れか１項に記載の無線基地局装置。
（付記９）
無線基地局装置から放送・同報されるマルチメディアデータを受信する無線移動局装置であって、
前記マルチメディア放送・同報サービスを要求する要求シグナリングを、前記無線基地局装置へ送信する所定のランダムアクセスチャネル信号のプリアンブルコードを用いて送信するランダムアクセスチャネル信号送信部と、
該ランダムアクセスチャネル信号送信部が送信した前記所定のランダムアクセスチャネル信号のプリアンブルコードに対応して前記無線基地局装置からの受信完了応答を受信し、その受信後に前記マルチメディア放送・同報サービスの受信を開始するランダムアクセスチャネル信号受信部と、
を含むことを特徴とする無線移動局装置。
（付記１０）
前記マルチメディア放送・同報サービスの開始後、前記所定のランダムアクセスチャネル信号のプリアンブルコードを定期的に前記無線基地局装置に送信するランダムアクセスチャネル信号定期送信部を更に含む、
ことを特徴とする付記９に記載の無線移動局装置。
（付記１１）
前記ランダムアクセスチャネル信号送信部は、前記マルチメディア放送・同報サービスを要求する要求シグナリングを、該サービスの種別に応じたシグネイチャ系列のランダムアクセスチャネル信号のプリアンブルコードを使って前記無線基地局装置へ送信する、
ことを特徴とする付記９又は１０の何れか１項に記載の無線移動局装置。
【図面の簡単な説明】
【００６６】
【図１】ＲＡＣＨプリアンブルの動作概念図である。
【図２】通常通信におけるＲＡＣＨ処理の動作シーケンス図である。
【図３】ＲＡＣＨプリアンブルを使ったＭＢＭＳリクエストシグナリング処理の動作シーケンス図である。
【図４】ＲＡＣＨプリアンブルを使ったＭＢＭＳリクエストシグナリング処理の動作説明図である。
【図５】実施形態におけるｅＮＢ（無線基地局装置）の構成図である。
【図６】実施形態におけるＵＥ（無線移動局装置）の構成図である。
【図７】第１の実施形態におけるｅＮＢの制御動作フローチャートである。
【図８】第１の実施形態におけるＵＥの制御動作フローチャートである。
【図９】第２の実施形態におけるｅＮＢの制御動作フローチャートである。
【図１０】第３の実施形態におけるｅＮＢの制御動作フローチャートである。
【図１１】第３の実施形態におけるＵＥの制御動作フローチャートである。
【図１２】ｅＮＢ（無線基地局装置）の従来技術の構成図である。
【図１３】従来のＭＢＭＳ受信処理の動作シーケンス図である。
【図１４】従来の複数ＵＥからのＭＢＭＳリクエスト処理の動作シーケンス図である。
【図１５】制御チャネル、個別チャネルを使ったＭＢＭＳリクエストシグナリング処理の動作説明図である。
【符号の説明】
【００６７】
１０１      プリアンブル
４０１、１２０１      ｅＮＢ（無線基地局装置）
４０２、１２０２      ＵＥ（無線移動局装置）
４０３、１２０３      ＭＢＭＳコントローラ
４０４、１２０４      ＩＦ（インタフェース）部
４０５、１２０５      呼制御部
４０６、６０１、１２０６      無線信号処理部
４０７、６０３、１２０７      下り信号処理部
４０８、６０２、１２０８      上り信号処理部
４０９、４１０、１２０９、１２１０      制御ＣＨ／データＣＨ処理部
４１１、６０４、１２１１      ＲＡＣＨ処理部
５０１      Ｍｅｓｓａｇｅ１受信処理部／Ｍｅｓｓａｇｅ２送信処理部
５０２、６０９      ＲＡＣＨプリアンブルコードテーブル
５０３      通知判定部
５０４、６０６      メモリ
５０５      ＭＢＭＳサービス処理部
６０５      送信判定部
６０７      タイマ（Ｔｉｍｅｒ）
６０８      Ｍｅｓｓａｇｅ１送信処理部／Ｍｅｓｓａｇｅ２受信処理部
１４０１      リクエスト処理時間
【図１】
2010045643.tif 000003
【図２】
2010045643.tif 000004
【図３】
2010045643.tif 000005
【図４】
2010045643.tif 000006
【図５】
2010045643.tif 000007
【図６】
2010045643.tif 000008
【図７】
2010045643.tif 000009
【図８】
2010045643.tif 000010
【図９】
2010045643.tif 000011
【図１０】
2010045643.tif 000012
【図１１】
2010045643.tif 000013
【図１２】
2010045643.tif 000014
【図１３】
2010045643.tif 000015
【図１４】
2010045643.tif 000016
【図１５】
2010045643.tif 000017